(57)【要約】【課題】  断熱材の間仕切り壁内への組込みを簡単に行え、面倒な長さ合わせ作業等もなく、従来のような断熱材の下方へのずれも少なくし、安定した組込みを確保する。【解決手段】  間仕切り壁は、上下ランナ１１，１２と、これら上下ランナの相対向する凹溝部内に上下端部を保持させた状態で並設された複数のスタッド１３からなる骨組みと、その内部に組み込んだ断熱材２０と、骨組みの表裏面に設けた面材１４，１５とで構成される。長尺帯板状を呈する複数の断熱材を、前記骨組み内に組み込むにあたって、下側ランナ寄りの下段側では、長尺帯板状断熱材を、その長さ方向が水平方向となるように、間仕切り壁の幅方向に向かって前記スタッドを迂回するように蛇行して組み込む。下段側の長尺帯板状断熱材の上段側には、他の長尺帯板状断熱材を、その長さ方向が垂直方向となるように間仕切り壁の高さ方向に向かって組み込むように構成する。【選択図】        図１
2011094333.tif 000002
【特許請求の範囲】
【請求項１】
凹溝状に形成された上下ランナと、これら上下ランナの相対向する凹溝部内に上下端部を保持させた状態で並設された複数のスタッドとによって骨組みが形成され、これらスタッド間の空隙部に長尺帯板状を呈する複数枚の断熱材を組み込んだ状態で、該骨組みの表裏両面に面材を取り付けることにより組み立てられる間仕切壁において、
前記長尺帯板状断熱材を、前記上下ランナ間に複数のスタッドを並設することで形成される骨組み内に組み込むにあたって、下側ランナ寄りの下段側では、長尺帯板状断熱材は、その長さ方向が水平方向となるように、間仕切り壁の幅方向に向かって前記スタッドを迂回するように蛇行して組み込まれるとともに、
その下段側の長尺帯板状断熱材の上段側では、他の長尺帯板状断熱材は、その長さ方向が垂直方向となるように、間仕切り壁の高さ方向に向かって組み込むように構成されていることを特徴とする間仕切り壁の断熱材構造。
【請求項２】
請求項１記載の間仕切り壁の断熱材組込み構造において、
前記スタッドは、前記上、下ランナによる溝部の溝幅よりも小さい外形寸法をもち、隣接するスタッドのうち一方のスタッドの上下端部は前記凹溝部の一方の面材の内壁に当接されるとともに他方の面材の内壁から離間し、他方のスタッドは前記凹溝部の他方の面材の内壁に当接されるとともに一方の面材の内壁から離間するように設けられることにより、該凹溝部内に千鳥状に配列されるように構成され、
下段側の長尺帯板状断熱材は、各スタッドと面材の内壁との間の隙間をジグザグ状に蛇行して組み込まれていることを特徴とする間仕切り壁の断熱材構造。
【請求項３】
凹溝状に形成された上下ランナと、これら上下ランナの相対向する凹溝部内に上下端部を保持させた状態で並設された複数のスタッドとによって骨組みが形成され、これらスタッド間の空隙部に長尺帯板状を呈する複数枚の断熱材を組み込んだ状態で、該骨組みの表裏両面に面材を取り付けることにより組み立てられる間仕切壁の断熱材施工方法であって、
上下ランナ間に複数のスタッドを所定間隔をおいて千鳥状に並設し、これら各スタッドを迂回するように蛇行させて順次組込むにあたって、
下側ランナ寄りの下段側では、長尺帯板状断熱材を、その長さ方向が水平方向となるように、間仕切り壁の幅方向に向かって前記スタッドを迂回するように蛇行して組み込むとともに、
その下段側の長尺帯板状断熱材の上段側には、他の長尺帯板状断熱材を、その長さ方向が垂直方向となるように、間仕切り壁の高さ方向に向かって組み込むことにより、間仕切り壁内への断熱材の組込みが行われることを特徴とする間仕切り壁の断熱材施工方法。
【発明の詳細な説明】
【技術分野】
【０００１】
本発明は、住宅の屋内空間を仕切ることにより居室などに区画する間仕切り壁において、たとえばロックウール等の吸音断熱材（以下、単に断熱材という）の壁内部への組込み構造等についての断熱材構造および断熱材施工方法に関する。
【背景技術】
【０００２】
建物の内壁を構成する間仕切り壁として従来から種々の構造のものが知られている。
たとえば室内の天井および床に設けた上、下ランナ間に、複数本のスタッドを所定間隔をおいて並設することにより骨組みが形成され、この骨組みにおけるスタッド間に形成される空隙部分に、ロックウールと呼ばれ吸音材としても機能する断熱材を適宜蛇行させながら組み込んで配設するとともに、これらのスタッド等からなる骨組みの表裏面に石膏ボード等による面材を取付けることにより、間仕切り壁が形成されている（例えば、特許文献１参照）。
【０００３】
ここで、この特許文献１に記載の間仕切壁では、アングル状を呈し、四角枠を構成するように枠組みされる上下、左右のランナと、上下ランナ間に千鳥状に立設した状態で所定間隔をおいて並設される複数本のスタッドと、これらのスタッドを内設するように表、裏面に張り付けられる一対の石膏ボードと、四角枠内であって石膏ボード間に介在し、蛇行して組み込まれる断熱材を備えた構造となっている。
【０００４】
そして、上記のような間仕切壁は、前記上下ランナ間に複数のスタッドを千鳥状に配列し、これらのスタッドを内設するようにして石膏ボードを表、裏面に張り付けていることから、表、裏面のボードが直接には連結されていない状態となり、音、振動の伝わりを防ぐことができるようになっている。しかも、これら石膏ボード間に断熱材を蛇行させて組み込んでいることから、さらに遮音性能を得ることができるようになっている。
【先行技術文献】
【特許文献】
【０００５】
【特許文献１】特開２００４−０８４２２１号公報
【発明の概要】
【発明が解決しようとする課題】
【０００６】
ところで、上述したような従来の間仕切り壁において、断熱材の壁内部への組み込みは、該間仕切り壁の骨組みを構成する複数本の鋼製スタッドの間の空隙部に、所定長さをもつ複数枚の長尺帯板状断熱材を、上下方向（縦方向）に沿わせた状態で順次継ぎ足しながら組み込むことで、嵌め込んでいる。
【０００７】
しかしながら、このような従来の断熱材の組込み方法では、断熱材を継ぎ足す作業が面倒かつ煩雑であり、また長さを必要長さに切断する等の作業も必要で、作業性が悪いという問題がある。さらに、上側に継ぎ足した断熱材が下方にずれるのを避けることが難しく、そのずれ、脱落等を防ぐための煩雑な作業も必要となる等の問題があった。
【０００８】
本発明はこのような事情に鑑みてなされたものであり、間仕切り壁内への断熱材の組込みにあたって、断熱材の組込みが比較的簡単に行え、また面倒な長さ合わせ作業等も必要最小限でよく、しかも従来のような下方へのずれ等といった問題も小さく、安定した嵌め込み状態を確保でき、吸音断熱材としての機能を発揮させることができる間仕切り壁の断熱材構造および断熱材施工方法を得ることを目的とする。
【課題を解決するための手段】
【０００９】
このような目的に応えるために本発明（請求項１記載の発明）に係る間仕切り壁の断熱材構造は、凹溝状に形成された上下ランナと、これら上下ランナの相対向する凹溝部内に上下端部を保持させた状態で並設された複数のスタッドとによって骨組みが形成され、これらスタッド間の空隙部に長尺帯板状を呈する複数枚の断熱材を組み込んだ状態で、該骨組みの表裏両面に面材を取り付けることにより組み立てられる間仕切壁において、前記長尺帯板状断熱材を、前記上下ランナ間に複数のスタッドを並設することで形成される骨組み内に組み込むにあたって、下側ランナ寄りの下段側では、長尺帯板状断熱材は、その長さ方向が水平方向となるように、間仕切り壁の幅方向に向かって前記スタッドを迂回するように蛇行して組み込まれるとともに、その下段側の長尺帯板状断熱材の上段側では、他の長尺帯板状断熱材は、その長さ方向が垂直方向となるように、間仕切り壁の高さ方向に向かって組み込むように構成されていることを特徴とする。
【００１０】
本発明（請求項２記載の発明）に係る間仕切り壁の断熱材構造は、請求項１において、前記スタッドは、前記上、下ランナによる溝部の溝幅よりも小さい外形寸法をもち、隣接するスタッドのうち一方のスタッドの上下端部は前記凹溝部の一方の面材の内壁に当接されるとともに他方の面材の内壁から離間し、他方のスタッドは前記凹溝部の他方の面材の内壁に当接されるとともに一方の面材の内壁から離間するように設けられることにより、該凹溝部内に千鳥状に配列されるように構成され、下段側の長尺帯板状断熱材は、各スタッドと面材の内壁との間の隙間をジグザグ状に蛇行して組み込まれていることを特徴とする。
【００１１】
本発明（請求項３記載の発明）に係る間仕切り壁の断熱材施工方法は、凹溝状に形成された上下ランナと、これら上下ランナの相対向する凹溝部内に上下端部を保持させた状態で並設された複数のスタッドとによって骨組みが形成され、これらスタッド間の空隙部に長尺帯板状を呈する複数枚の断熱材を組み込んだ状態で、該骨組みの表裏両面に面材を取り付けることにより組み立てられる間仕切壁の断熱材施工方法であって、上下ランナ間に複数のスタッドを所定間隔をおいて千鳥状に並設し、これら各スタッドを迂回するように蛇行させて順次組込むにあたって、下側ランナ寄りの下段側では、長尺帯板状断熱材を、その長さ方向が水平方向となるように、間仕切り壁の幅方向に向かって前記スタッドを迂回するように蛇行して組み込むとともに、その下段側の長尺帯板状断熱材の上段側には、他の長尺帯板状断熱材を、その長さ方向が垂直方向となるように、間仕切り壁の高さ方向に向かって組み込むことにより、間仕切り壁内への断熱材の組込みが行われることを特徴とする。
【発明の効果】
【００１２】
以上説明したように本発明に係る間仕切り壁の断熱材構造および断熱材施工方法によれば、間仕切り壁内において並設されているスタッド間に組み込む長尺帯板形状を呈する断熱材を、下段側はその長さ方向が水平方向となるように、壁の幅方向に沿わせて組み込むととともに、上段側は、下段側の断熱材とは異なり、その長さ方向が垂直方向となるように、壁の高さ方向に沿わせて組み込むことにより、組込み作業が比較的簡単となり、また不必要な切断作業も必要最小限にすることができ、さらに上段側の断熱材の下方へのずれ等を少なくすることが可能であり、該断熱材の脱落等を防ぐための対策も不要である等といった種々優れた効果がある。
【図面の簡単な説明】
【００１３】
【図１】本発明に係る間仕切り壁の断熱材構造および断熱材施工方法の一実施形態を示す概略斜視図である。
【図２】図１の間仕切り壁の要部を拡大した横断側面図である。
【図３】（ａ）は本発明に係る間仕切り壁の断熱材構造および断熱材施工方法を説明するための概要図、（ｂ）はその従来例を示す図である。
【発明を実施するための形態】
【００１４】
図１および図２は本発明に係る間仕切り壁の断熱材構造および断熱材施工方法の一実施形態を示すものである。
【００１５】
これらの図において、全体を符号１で示す間仕切り壁は、建物の内部空間を仕切るように建物の壁面間等に設けられている。なお、図中２は建物の一方の壁部であり、ここでは、建物内部への出入り口となる開口３を二手に分ける位置に設けた間仕切り壁１である場合を図示している。
【００１６】
このような間仕切り壁１は、図１および図２に示すように、凹溝状に形成された上下ランナ１１，１２と、これら上下ランナ１１，１２の対向する凹溝部１１ａ，１２ａに上下端部が嵌め込まれた中空状の複数のスタッド１３とによって骨組み１Ａが形成され、この骨組み１Ａの表裏両面に、石膏ボード等の面材１４，１５が取り付けられている。
【００１７】
前記骨組み１Ａのスタッド１３間の空隙部には、ロックウール、グラスウール等によって所定長さをもつ長尺帯板状を呈するように形成された複数枚の断熱材２０が適宜組み込まれた状態で嵌め込まれている。この長尺帯板状の断熱材２０は、所要の長さと幅寸法をもつほぼ長方形状を呈する薄板材として形成されている。
【００１８】
なお、この実施形態では、長尺帯板状断熱材２０の長さを、その幅の２〜３倍の長さとしたものを用いるとよい。このような断熱材２０としては、たとえば長さが１３６０ｍｍ、幅が４７０ｍｍ、厚さが５５ｍｍの寸法で形成された等がある。
【００１９】
そして、上述した骨組み１Ａ内に複数枚の断熱材２０を適宜組み込んだ状態で、その表裏面に面材１４，１５を取り付けることにより、間仕切り壁１が形成されるようになっている。
【００２０】
ここで、上述したスタッド１３は、ランナ１１，１２の凹溝部１１ａ，１２ａの溝幅にほぼ等しい厚みをもつ第１のスタッド１３Ａと、該溝幅よりも小さい外形寸法をもつ第２のスタッド１３Ｂ，１３Ｃを備えている。第１のスタッド１３Ａがランナ１１，１２の凹溝部１１ａ，１２ａ内に該溝の長手方向に沿って所定間隔をおいて設けられ、第２のスタッド１３Ｂ，１３Ｃは上記の第１のスタッド１３Ａ，１３Ａ間に所定間隔をおいて千鳥状に設けられている。
【００２１】
なお、上記の第２のスタッド１３Ｂ，１３Ｃは、遮音用のスタッドとして機能するものであり、一方の面材１４または１５のみに連結され、他方の面材には非連結状態となることで遮音効果を果たすところである。ここで、これらのスタッド１３Ｂ，１３Ｃの上下端部は、上下ランナ１１，１２の凹溝部１１ａ，１２ａ内にスペーサ等を介在させることで、一方の面材側に位置して設けられるようになっている。
【００２２】
すなわち、これらの第２のスタッド１３Ｂ，１３Ｃは、溝幅よりも小さい外形寸法をもち、隣接する第２のスタッド１３Ｂ，１３Ｃのうち一方のスタッド１３Ｂの上下端部を、前記凹溝部１１ａ，１２ａの一方の面材１４の内壁に当接されるとともに他方の面材１５の内壁から離間し、他方のスタッド１３Ｃは前記凹溝部１１ａ，１２ａの他方の面材１５の内壁に当接されるとともに一方の面材１４の内壁から離間するように設けられることにより、該凹溝部１１ａ，１２ａ内に千鳥状に配列されるように構成されている。
【００２３】
なお、上述した上ランナ１１は、ここでは建物の壁部２間に掛け渡して設けた場合を例示しているが、これに限らず、天井部分に下地材等を介して直接設けるようにしてもよい。また、下ランナ１２は、建物の床４上に下地材を設け、その上部に配設することで設けるとよい。
【００２４】
そして、本発明によれば、上述した上下ランナ１１，１２と複数本のスタッド１３とからなる骨組み１Ａ内への長尺帯板状を呈する複数枚の断熱材２０の組込みを、以下のようにして行っている。
すなわち、本発明によれば、長尺帯板状断熱材２０を、前記上下ランナ１１，１２間に複数のスタッド１３を並設することで形成される骨組み１Ａ内に組み込むにあたって、下側ランナ１２寄りの下段側では、長尺帯板状断熱材２０を、その長さ方向が水平方向となるように、間仕切り壁１の幅方向に向かって前記スタッド１３（１３Ｂ，１３Ｃ）を迂回するように蛇行して組み込むとともに、その下段側の長尺帯板状断熱材２０の上段側には、他の長尺帯板状断熱材２０を、その長さ方向が垂直方向となるように、間仕切り壁１の高さ方向に向かって組み込むように構成している。
【００２５】
ここで、この実施形態では、図１および図２に示すように、長尺帯板状の断熱材２０を、間仕切り壁１下部に、下段二列に設けるとともに、その上段には、別の長尺帯板状の断熱材２０を、間仕切り壁１の高さ方向に向かって組み込んで嵌め込ませた状態で設けた場合を示している。
【００２６】
また、このような長尺帯板状断熱材２０の組込み順序としては、図３（ａ）に示すように、最下段に壁の幅方向に沿わして設け、次いでその上段にも壁の幅方向に沿わして設けるとともに、その上段には、２枚の長尺帯板状断熱材２０を壁の高さ方向に沿って並べて設けることで、一列の断熱材２０の組込みを行い、その後、同様の順序で隣接する部分への断熱材２０の組込みを行うようにしている。
【００２７】
上記の下段側の長尺帯板状断熱材２０は、第１のスタッド１３Ａ，１３Ａ間の空隙部分に対応して、第２のスタッド１３Ｂ，１３Ｃを迂回するように面材１４，１５の内壁との間に形成される隙間を蛇行するようにして設けるとよい。
【００２８】
なお、上述した壁１の幅方向、高さ方向に組み込まれる長尺帯板状断熱材２０は、タッカー、アクリルテープ等の仮止め手段で仮止めされ、石膏ボード等の面材１４，１５が設けられることで、所定箇所に組み込まれて保持されるようになっている。
【００２９】
上述した構成による間仕切り壁１の断熱材構造によれば、間仕切り壁１内において並設されているスタッド１３（１３Ａ，１３Ｂ，１３Ｃ）間に組み込む断熱材２０を、下段側は水平方向、つまり壁の幅方向に沿わせて組み込むととともに、上段側は、下段側の断熱材２０とは異なり、垂直方向、つまり壁の高さ方向に沿わせて組み込むことにより、組込み作業が比較的簡単となり、また不必要な切断作業も必要最小限にすることができ、さらに上段側の断熱材２０の下方へのずれ等を少なくすることが可能であり、該断熱材２０の脱落等を防ぐための対策も不要である等といった利点がある。
【００３０】
特に、上述したような上段側の断熱材２０の下方へのずれを少なくできることは、たとえば図３（ｂ）に示すような順序で組み込まれる従来の断熱材の組込み状態と比べると、容易に理解されよう。これは、図３（ａ）のような本発明による組込みでは、下段側の断熱材２０が壁１の幅方向に沿って設けられており、その１枚当たりの高さ方向の寸法が小さいことから、図３（ｂ）に示す従来例のように高さ方向の寸法が長い場合に比べて撓みにくく、その結果上段側に断熱材２０が載っても、その重量を所要の強度で支持できるためである。
【００３１】
上述した間仕切り壁１の施工は、次のようにして行われる。
すなわち、凹溝状に形成された上下ランナ１１，１２を、建物の所定箇所である床面上、天井あるいは壁面部分に取付け固定し、次いでランナ１１，１２の凹溝部１１ａ，１２ａ内に鋼製または木製のスタッド１３を所定の間隔をおいて並設し、スペーサ等で固定する。
【００３２】
次に、上述したことで構成される骨組み１Ａ内に、長尺帯板状の断熱材２０を下段側は、水平方向、つまり壁１の幅方向に、上段側は、垂直方向、つまり壁１の高さ方向に沿わせた状態で適宜組み込んで保持させ、適宜の仮止め手段で端部等を固定する。そして、その後に骨組み１Ａの表裏面に石膏ボードなどの耐火性をもつ面材１４，１５を固定することで、間仕切り壁１が形成されるものである。
【００３３】
なお、本発明は上述した実施の形態で説明した構造には限定されず、間仕切り壁１を構成する各部の形状、構造等を適宜変形、変更し得ることはいうまでもない。
たとえば上述した実施形態では、上下ランナ１１，１２のみを用いたが、左右ランナを用いることにより、骨組み１Ａを構成してもよい。
さらに、上述した断熱材２０としては、その幅の２〜３倍の長さをもつものを用いて板場合を説明したが、本発明はこれに限らず、適宜の長さをもつものを用いることも自由である。
【符号の説明】
【００３４】
１  間仕切り壁
２  壁部
４  床
１１  上ランナ
１２  下ランナ
１１ａ，１２ａ  凹溝部
１３（１３Ａ，１３Ｂ，１３Ｃ）  スタッド
１４，１５  面材
２０  長尺帯板状の断熱材
【図１】
2011094333.tif 000003
【図２】
2011094333.tif 000004
【図３】
2011094333.tif 000005